(57)【要約】      （修正有）【課題】ユーザがソーシャルメディアを利用して投稿したコンテンツ（記事、写真、イラスト、動画など）を収集、編集し、ネットワーク上で閲覧できるオンラインメディアの編集、運用システムを提供する。【解決手段】ユーザがソーシャルメディアを利用して投稿したコンテンツが、ネットワークを介してコンテンツサーバ上のオンラインメディア編集・運用装置１に設置したソーシャルメディアクライアントに表示され、その際、表示されるコンテンツはキーワードやテーマ、ジャンル、カテゴリー、タグなどによって取捨選択され、またソーシャルメディアはユーザの閲覧性、利便性を考慮し、テーマやジャンルごとに分類、設置され、その総数は多数にわたり、その全体像をもって、新聞、雑誌、本、辞書、販促媒体のような編集された媒体と同様の特徴を有するオンラインメディアであり、ウェブサイトまたはダウンロードコンテンツとして提供される。【選択図】図１
2013134765.tif 000002
【特許請求の範囲】
【請求項１】
ユーザがソーシャルメディアを利用して投稿したコンテンツがネットワークを介してサーバ上のオンラインメディア編集・運用装置（プラットフォーム）に設置したソーシャルメディアクライアント上のソーシャルメディア、またはソーシャルメディアに表示され、その際、表示されるコンテンツはキーワードやテーマ、ジャンル、カテゴリー、タグなどによって取捨選択され、またオンラインメディア編集・運用装置（プラットフォーム）に設置されるソーシャルメディアはユーザの閲覧性、利便性を考慮し、テーマやジャンルごとに分類、設置され、その総数は複数、および多数にわたり、その全体像をもって、新聞、雑誌、本、辞書、販促媒体のような編集された媒体と同様の特徴を示し、ウェブ版とダウンロードコンテンツ版（アプリなど）で運用可能なソーシャルメディアを利用したオンラインメディアの編集、運用システム。
【請求項２】
請求項１に記載のオンラインメディアの編集、運用システムにおいて、編集者、運用者が利用できる掲示板やブログ、また動画や写真、イラストの表示機能を有することを特徴とするソーシャルメディアを利用したオンラインメディアの編集、運用システム。
【請求項３】
請求項１に記載のオンラインメディアの編集、運用システムにおいて、あらゆる言語、記号に対応することを特徴をするソーシャルメディアを利用したオンラインメディアの編集、運用システム。
【発明の詳細な説明】
【技術分野】
【０００１】  本発明はソーシャルメディアを利用することによりリアルアイムで情報更新可能で、低コスト、低労力で編集、運用可能なソーシャルメディアを利用したオンラインメディアの編集、運用システムに関する。
【背景技術】
【０００２】  従来の新聞、雑誌、本、辞書、販促媒体などは、編集スタッフ（編集者、ライター、カメラマン、イラストレイターなど）が取材をしてきたコンテンツを発行者が加工、取捨選択、編集してから、発行する形をとっている。【０００３】  前記媒体においては、紙幅やレアイウトの都合上、取材したコンテンツをすべて掲載することは物理的に困難で、また取材時から掲載時までのタイムラグが生じる。【０００４】  また媒体制作において、取材費や人件費、印刷費、用紙費、物流管理費など相応の制作コストや資源が費やされる一方、返品や期限切れなどで破棄、または古紙化される媒体も多い。【０００５】  紙媒体のコンテンツを流用したオンラインメディアやユーザ参加型オンラインメディア、またデジタル販促媒体などの需要と供給は増加傾向にあり、オンラインメディアの今後の発展は期待できる。
【先行技術文献】
【特許文献】
【０００６】
【特許文献１】特開２００２−２４４６７号公報
【０００７】
【特許文献２】特開２００８−５２４２６号公報
【発明の概要】
【発明が解決しようとする課題】
【０００８】  上述したように従来の媒体制作には相応のコスト、労力、資源が費やされており、また掲載する情報量に制限があるために全ての情報を掲載することができず、また取材時から掲載時までにタイムラグが生じる。【０００９】  本発明は上記の問題点を鑑み提案されたものであり、その目的とするところは、
（イ）制作におけるコストと労力の削減、
（ロ）幅広く多数のコンテンツ（ユーザからの情報や意見など）の掲載、
（ハ）リアルタイムな情報更新、
（ニ）資源の節約にある。
【課題を解決するための手段】
【００１０】  上記の課題を解決するため、本発明にあっては、請求項１に記載されるように、
（イ）ユーザがソーシャルメディアを利用して投稿したコンテンツがネットワークを介してコンテンツサーバ上のオンラインメディア編集・運用装置（プラットフォーム）に設置したソーシャルメディアに表示され、
（ロ）その際、表示されるコンテンツはキーワードやテーマ、ジャンル、カテゴリー、タグなどによって、検索、取捨選択され、
（ハ）また、オンラインメディア編集・運用装置（プラットフォーム）に設置されるソーシャルメディアはユーザの閲覧性、利便性を考慮し、テーマやジャンル、カテゴリーごとに分類、設置され、
（ニ）その総数は多数にわたり、その全体像をもって、新聞、雑誌、本、辞書、販促媒体のような編集された媒体と同様の特徴を有するオンラインメディアとなり、その編集、運用システムを要旨とする。【００１１】  上記のオンラインメディアにおいては、
（イ）印刷費、用紙費、物流管理費などのコストが不要となり制作コストを大幅に削減でき、また環境資源の節約に貢献し、
（ロ）ユーザがソーシャルメディアを利用して投稿したコンテンツは、リアルタイムかつそのままの状態でオンラインメディア編集・運用装置（プラットフォーム）上に設置されたソーシャルメディアに表示され、
（ハ）オンラインメディア編集・運用装置（プラットフォーム）上には多数のソーシャルメディアを設置することができるので、
幅広く、多くのコンテンツを掲載することができる。【００１２】  また、請求項２に記載されるように、請求項１に記載のオンラインメディアの編集、運用システムにおいて、編集者、運用者が利用できる掲示板やブログ、また動画や写真、イラストの表示機能を有することができる。【００１３】  また、請求項３に記載されるように、請求項１に記載のオンラインメディアの編集、運用システムにおいて、あらゆる言語、記号に対応することができる。
【発明の効果】
【００１４】  本発明のソーシャルメディアを利用したオンラインメディアにあっては、従来の新聞、雑誌、本、辞書、販促媒体などで課題であった、
（イ）制作におけるコストと労力の削減、
（ロ）幅広く多数のコンテンツ（ユーザからの情報や意見など）の掲載、
（ハ）リアルタイムな情報更新、
（ニ）資源の節約を実現することができる。
【発明を実施するための形態】
【００１５】  図１は本発明の一実施形態にかかるソーシャルメディアを利用したオンラインメディアのネットワーク構成例を示す図である。
【００１６】  図１は請求項１に記載のオンラインメディアであり、オンラインメディア編集・運用装置（プラットフォーム）（１）はインターネット等のネットワーク（２）に接続され、ネットワーク（２）には複数のユーザ（投稿者、または閲覧者、投稿者と閲覧者が同一人物の場合もある）の操作するユーザ端末であるＰＣ（Ｐｅｒｓｏｎａｌ  Ｃｏｍｐｕｔｅｒ）（３）、携帯端末（４）、ＰＣ（Ｐｅｒｓｏｎａｌ  Ｃｏｍｐｕｔｅｒ）と携帯端末（５）などが接続されており、ソーシャルメディアクライアント運営者（６）、ソーシャルメディア運営者（７）が接続されている。
【００１７】  図２はオンラインメディア編集・運用装置（プラットフォーム）のデータベースの例であり、ソーシャルメディアクライアントまたはソーシャルメディアに関しては、それらの運営者のデータベースにアクセスし利用する。
【００１８】  図３はオンラインメディアのシステムの構成案と実例案である。
【００１９】  サーバー上のオンラインメディア編集・運用装置（プラットフォーム）にソーシャルメディアクライアント、または、ソーシャルメディアを設置し、その設置したソーシャルメディアクライアント、またはソーシャルメディアにキーワードやテーマ、ジャンル、カテゴリー、タグなどで検索、フィルタリングを施し、またオンラインメディア編集・運用装置（プラットフォーム）にソーシャルメディアを設置する際、ユーザの閲覧性、利便性を考慮し、テーマ、ジャンル、カテゴリー等ごとに分類し適材適所配置し、その総数は複数、多数にわたり、その全体像をもって、新聞、雑誌、本、辞書、販促媒体のような媒体と同様の媒体効果を実現する。
【００２０】  上記のオンラインメディア編集・運用装置（プラットフォーム）は複数になる場合がある。
【００２１】  上記のオンラインメディアの編集、運用システムにおいて、編集者、運用者が利用できる掲示板やブログ、また動画や写真、イラストの表示機能を有する。
【００２２】  上記のオンラインメディアの編集、運用システムにおいて、あらゆる言語、記号に対応する。
【００２３】  図４はソーシャルメディアを利用したコンテンツ閲覧と投稿の流れである。
【００２４】  以下の行為はインターネット等のネットワークを介して行われ、かつ同時進行する場合がある。
【００２５】  ユーザはＰＣ（Ｐｅｒｓｏｎａｌ  Ｃｏｍｐｕｔｅｒ）、携帯電話等のソーシャルメディアを利用してコンテンツを投稿する。
【００２６】  ユーザから投稿されたコンテンツはソーシャルメディア運営者のデータベースに蓄積され、オンラインマガジン編集・運用者は管理下にあるソーシャルメディアクライアント、またはソーシャルメディアの検索、フィルタリングなどの機能を利用してソーシャルメディア運営者のデータベースに表示したいコンテンツをリクエストし、コンテンツの提供を受け、オンラインメディア編集・運用装置（プラットフォーム）上のソーシャルメディアに表示する。
【００２７】  ユーザはＰＣ（Ｐｅｒｓｏｎａｌ  Ｃｏｍｐｕｔｅｒ）、携帯電話等でオンラインメディアを閲覧できる。
【００２８】  図５、図６はレイアウト案である。
【００２９】  オンラインメディア編集・運用装置（プラットフォーム）上にはソーシャルメディア、広告枠、編集者・運用者が利用するブログなどの書き込み機能、また写真、動画、イラストなどを表示機能を配置することができ、また、ロゴ、文字、イラスト、写真などを配置することができる。
【００３０】  総括
【００３１】  以上説明したように、本発明のソーシャルメディアを利用したオンラインメディアの編集・運用システムは、メディアや媒体の編集、制作に必要な記事、写真、イラスト、動画などのコンテンツをネットワーク上の投稿コンテンツに頼ることで、低コストと低労力で編集、運用ができ、幅広く多数のコンテンツ（ユーザからの情報や意見など）の掲載可能で、リアルタイムな情報更新が可能で、環境の配慮したメディアや媒体の編集、運用を可能とすることができる。
【００３２】  以上、本発明の好適な実施の形態により本発明を説明した。
ここでは特定の具体例を示して本発明を説明したが、特許請求の範囲に定義された本発明の広範な趣旨、および範囲から逸脱することなく、これら具体例に様々な修正、および変更を加えることができることは明らかである。
すなわち、具体例の詳細、および添付の図面により本発明が限定されるものと解釈してはならない。
【図面の簡単な説明】
【００３３】
【図１】ネットワーク構成案の説明図
【００３４】
【図２】データベース案の説明図
【００３５】
【図３】システム構成案と例の説明図
【００３６】
【図４】コンテンツ閲覧・投稿の流れの説明図
【００３７】
【図５】レイアウト案の説明図
【００３８】
【図６】レイアウト案の説明図
【符号の説明】
【００３９】  １  オンラインメディア編集・運用装置
２  ネットワーク
３  ユーザ端末
４  ユーザ端末
５  ユーザ端末
６  ソーシャルメディアクライアント運営システム・データベース
７  ソーシャルメディア運営システム・データベース
【図１】
2013134765.tif 000003
【図２】
2013134765.tif 000004
【図３】
2013134765.tif 000005
【図４】
2013134765.tif 000006
【図５】
2013134765.tif 000007
【図６】
2013134765.tif 000008